(57)【要約】【課題】本願発明は、ユニットバスの出入口ドアに取り付けるタオル掛けを、有効開口幅を狭くすることなく、タオルを掛けることのできるようにすることを目的とするものである。【解決手段】上記課題を解決するため、ユニットバスの出入口ドア枠に取り付けるブラケットを、複数の部材を組み合わせることにより折り畳み可能な構造とし、該ブラケットにパイプを取り付けてタオル掛けを成形することにより有効開口幅を広くするものである。【選択図】図３
2005211220.tif 000002
【特許請求の範囲】
【請求項１】
ユニットバスの出入口ドアに、折り畳み式タオル掛けを取り付けたことを特徴とするドアに取り付けたタオル掛け。
【請求項２】
出入口ドアは内開きであり、ドアに取り付けたタオル掛けは脱衣室側であることを特徴とする請求項１記載のドアに取り付けたタオル掛け。
【請求項３】
出入口ドアは外開きであり、ドアに取り付けたタオル掛けは浴室側であることを特徴とする請求項１記載のドアに取り付けたタオル掛け。
【発明の詳細な説明】
【技術分野】
【０００１】
この発明は、浴室から脱衣室に出るとき身体を拭くタオルを掛けるタオル掛けを、ユニットバスの出入口部に設けた開閉自在なドアに取り付けた、タオル掛けに関するものである。
【背景技術】
【０００２】
浴室から脱衣室に出るときに身体を拭くタオルを掛けるタオル掛けを、ドアに取り付けるいくつかの技術が提案されている。例えば、図４に示すように、浴室への出入口となる開口部に浴室側に開閉する出入口ドアが設けられ、該出入口ドアの脱衣室側に、ブラケットとパイプからなるタオル掛けが取り付けられている。そこで人が浴室に入るときは浴室側にドアを押して入るが、出入口ドアを開いた際、該ドアの表面から、ブラケット、およびブラケット間に取り付けたパイプが突出された状態であり、その有効開口幅は、ブラケットおよびパイプを設けない状態の７００ｍｍから６５０ｍｍになって有効開口幅が狭くなっている。
【０００３】
また、特許文献１に示すように、浴室の出入口となる開口部に開閉自在な出入口ドアを取り付け、該出入口ドアの中央部に小さな開口部を設けて、該小さな開口部を塞ぐ開閉パネルが取り付けられている。更に、該小さな開閉パネルの浴室側および脱衣室側にタオル掛けが取り付けられ、脱衣室側に掛けたタオルを使用するときは、浴室側のタオル掛けを把手にして該開閉パネルを浴室側に倒すことにより脱衣室側のタオルを利用するタオル掛けが提案されている。
【特許文献１】特開平７−５４５５６号公報
【発明の開示】
【発明が解決しようとする課題】
【０００４】
しかし、従来の浴室ドアに設けたタオル掛けは、ドア枠に１部材からなるブラケットを所定の間隔で取り付け、該ブラケット間にパイプを嵌め込んだタオル掛け、或いはパイプをコ字状に曲げたタオル掛けであり、何れのタオル掛けも、パイプとドア表面との間は固定され、有効開口幅は、タオル掛けを設けない有効開口幅７００ｍｍから６５０ｍｍとなって出入口が狭くなり、高齢者の方や身体が不自由な人を介護する人にとって、タオル掛けの突起物が邪魔となって浴室への出入りに支障があった。
【０００５】
本願発明は、浴室ドアに取り付けるタオル掛けを、有効開口幅を狭くすることなくタオルを掛けることのできるようにすることを目的とするものである。
【課題を解決するための手段】
【０００６】
本願発明は、浴室の出入口ドア枠に取り付けるブラケットを複数の部材により成形して折り畳に可能な構造にし、この様な構造にすることにより有効開口幅を広くすることを特徴とする、ドアに取り付けたタオル掛けである。
【０００７】
また、出入口ドアは内開きであり、ドアに取り付けたタオル掛けは脱衣室側であることを特徴とするドアに取り付けたタオル掛けである。
【０００８】
更に、出入口ドアは外開きであり、ドアに取り付けたタオル掛けは浴室側であることを特徴とするドアに取り付けたタオル掛けである。
【発明の効果】
【０００９】
本願発明は、出入口ドアに取り付けたタオル掛けを、複数の部材によるブラケットにより成形することによって折り畳みできる構造にしたので、所定の間隔で設けたブラケットの間に嵌め込んだパイプと出入口ドアとの間隔を変えることができるようになり、それによって有効開口幅を広くすることができた。
【００１０】
この様に出入口ドアにおける有効開口幅を広くしたことにより、タオル掛けの突起部が障害物にはならず、高齢者や身体が不自由な人を介護する人の浴室への出入りがスムーズに行えるようになった。
【発明を実施するための最良の形態】
【００１１】
浴室の出入口ドアのタオル掛けを、有効開口幅を狭くすることなく取り付けるという目的を、ブラケットを折り畳み式にすることにより実現した。
【実施例１】
【００１２】
本願発明のドアに取り付けるタオル掛けについて具体的な実施形態を述べる。
図１は、浴槽１と洗い場２からなるユニットバス３の平面図が示されており、ユニットバス３を形成する壁パネル４の所定の箇所に開口部を設けて出入口ドア５が浴室側に開くかたちで取り付けられ、該出入口ドア５を設けた壁パネル４に面して脱衣室（図示されていない）が配置されている。
また、該出入口ドア５の脱衣室側には所定の間隔でブラケット６が取り付けられ、該ブラケット６間にパイプ７を嵌め込んだタオル掛け８が設けられている。
【００１３】
図２は、壁パネル４ａの所定の箇所に取り付けた出入口ドア５と、前記壁パネル４ａの端部に固定した壁パネル４ｂとの有効開口幅を示す拡大図である。
壁パネル４ａの所定の箇所に設けた開口部における開口枠に対し、出入口ドア５の一側端部がヒンジ等で枢着されて浴室側に開閉自在に取り付けられている。
【００１４】
図３ａは、出入口ドア５の脱衣室側に固定されたブラケット６の側面図、図３ｂは、出入口ドア５に所定の間隔で固定されたブラケット６間に、タオルを掛けるパイプ７を取り付けたタオル掛け８の正面図、図３ｃは、ブラケット６を構成する台座６ｂの斜視図である。
【００１５】
ブラケット６は、タオルを掛ける長片材のパイプ７を支持する支持金具６ａと、該支持金具６ａを受ける台座６ｂからなり、該支持金具６ａは、台座６ｂに面する側を円弧状に成形して台座６ｂとピン結合する孔６１ａを、その反対側にはパイプ７を挿入する孔６２ａが設けられている。
一方、台座６ｂは、図３ｃに示すように、断面Ｔ字状の形材と、該Ｔ形鋼のフランジ６１ｂとウエッブ６２ｂ間に垂直に取り付けたプレート６３ｂからなり、該プレート６３ｂには孔６４ｂが設けられている。該プレート６３ｂの孔６４ｂと支持金具６ａの円弧状部分に設けた孔６１ａをピンで結合することにより、支持金具６ａは台座６ｂに対し回動自在に取り付けられる。
【００１６】
このブラケット６を所定の間隔で出入口ドア５配置した後固定することによりブラケット６が所定の間隔で取り付けられ、該ブラケット６のプレート６３ｂに設けたパイプの取り付け孔６４ｂへパイプ７を挿入することにより、出入口ドア５に折り畳み式タオル掛８けが取り付けられる。そして、Ｔ形鋼を構成するウエッブ６２ｂにより支持金具６ｂを水平な状態に維持し、この状態で該パイプ７にタオルが掛けられる。
【００１７】
出入口ドア５の脱衣室側にタオル掛け８が取り付けられているが、該タオル掛８けは、ブラケット６が折り畳み式となっているので、入浴する際に出入口ドア５に取り付けたブラケット６を折り畳むことにより、浴室側に開いた出入口ドア５と壁面６ｂとの有効開口幅は、従来の固定式ブラケットの６５０ｍｍに対し、折り畳み式ブラケットは６８０ｍｍとなり、有効開口幅を広くすることができた。
【００１８】
このように、ユニットバス３の出入口ドア５に取り付けたタオル掛け８は、パイプ７を支持するブラケット６を折り畳み式にすることにより、出入口ドア５を浴室側に開いても有効開口幅を狭くすることはなく、入浴する人の出入りが楽になった。
実施例１に示す出入口ドア５は、その出入口ドア５の左側端部を壁パネル４ａに枢着して開閉自在にしているが、出入口ドア５の右側端部を壁パネル４ｂに枢着して開閉自在にしても良い。
【実施例２】
【００１９】
上記した実施例は、ユニットバス３の所定の開口部に、内側に開く１枚からなる出入口ドア５を取り付け、該出入口ドア５の脱衣室側に、折り畳み式ブラケット６からなるタオル掛け８を設けたものであるが、図５に示すドアは、上記実施例１の１枚ドアに代えて折り畳み式ドア９を使用する他の実施例で、ユニットバス３の出入口となる開口枠１０に、ドアを開くとき浴室側に押し出される折り畳み式ドア９が取り付けられ、該折り畳み式ドア９の浴室側に、折り畳み式ブラケット６で支持されたパイプ７からなるタオル掛け８を設けた出入口ドアが取り付けられる。
【００２０】
入浴する人が浴室内に入るときは、図６に示すように、折り畳み式ドア９を浴室側に押し出すようにして開かれるが、該折り畳み式ドア９の浴室側に取り付けたタオル掛け８は、折り畳み式ブラケット６により、ドア面からのパイプ７の突出部が小さくなり、それによって有効開口幅は広くなり入浴する人の出入りが楽になった。
【実施例３】
【００２１】
上記した実施例は、出入口に設けたドアは何れも浴室側に押し出されて開くタイプのものであるが、図７の実施例は、実施例１で示した１枚からなる出入口ドア５を、脱衣室側に開くようにして壁パネル４ａに取り付けるタイプのドアで、折り畳み式タオル掛け８は出入口ドア５の浴室側に取り付けてある。
入浴する人は、出入口ドア５を脱衣室側に引くようにして開けて浴室へ入るが、出入口ドア５に取り付けたタオル掛け８は、折り畳み式ブラケット６により、ドア面からのパイプ７の突出部が小さくなって有効開口幅が広くなり、入浴する人の出入りに支障がない。
【図面の簡単な説明】
【００２２】
【図１】浴槽と洗い場からなるユニットバスの平面図を示すものである。
【図２】出入口ドアと壁パネルの拡大図を示すものである。
【図３】ａ．出入口ドアに固定したブラケットの側面図を示すものである。                ｂ．出入口ドアに固定したブラケットとパイプからなるタオル掛けの正面図を示すものである。                                                                  ｃ．ブラケットを構成する台座の斜視図を示すものである。
【図４】従来例の出入口ドアと壁パネルの拡大図を示すものである。
【図５】折り畳み式ドアの正面図を示すものである。
【図６】他の実施例である出入口ドアの平面図を示すものである。
【図７】他の実施例である出入口ドアの平面図を示すものである。
【符号の説明】
【００２３】
１      浴槽      
２      洗い場    
３      ユニットバス    
４      壁パネル
４ａ    壁パネル
４ｂ    壁パネル    
５      出入口ドア    
６      ブラケット    
６ａ    支持金具
６１ａ  孔
６２ａ  孔
６ｂ    台座
６１ｂ  フランジ      
６２ｂ  ウエッブ
６３ｂ  プレート
６４ｂ  孔
７    パイプ    
８    タオル掛け    
９    折り畳み式ドア    
１０    開口枠    
【図１】
2005211220.tif 000003
【図２】
2005211220.tif 000004
【図３】
2005211220.tif 000005
【図４】
2005211220.tif 000006
【図５】
2005211220.tif 000007
【図６】
2005211220.tif 000008
【図７】
2005211220.tif 000009